【事件の表示】
　特願２００２−　７６５４７「画像読取装置」拒絶査定不服審判事件〔平成１５年　９月２６日出願公開、特開２００３−２７４１１４〕について、次のとおり審決する。
【結　論】
　本件審判の請求は、成り立たない。
【理　由】
１　本願発明
　本願は、平成１４年３月１９日の出願であって、本願の請求項１ないし２に係る発明は、本願明細書および図面の記載からみて、その請求項１ないし２にそれぞれ記載されたとおりのものと認められるところ、その請求項１に係る発明（以下、「本願発明」という）は、平成１９年３月１５日付けの手続補正書により補正された明細書および図面の記載からみて、特許請求の範囲の請求項１に記載された次のとおりのものである。
「制御手段で光源駆動回路を制御して、当該光源駆動回路でイメージセンサの光源を駆動して、当該光源からの光を原稿に照射し、前記制御手段でセンサ駆動回路を制御して前記イメージセンサのセンサを駆動して、当該センサで前記原稿からの反射光を光電変換したアナログの画信号を、ＡＤコンバータで前記制御手段から入力する動作範囲を指定したリファレンス電圧と比較してデジタル変換し、デジタルの画信号を前記制御手段に出力して前記原稿の画像を読み取る画像読取装置において、
　前記制御手段は、前記イメージセンサで白基準板を読み取ったときの前記ＡＤコンバータでデジタル変換した画信号のピーク
値Ｖplが、前記ＡＤコンバータが動作可能なリファレンス電圧Ｖrefの最大値Ｖfrに対してあらかじめ定めた一定割合の上限値と前記センサの出力のピーク値の狙い値があらかじめ定めた上限値となるリファレンス電圧Ｖtgとの間にあるとき、前記イメージセンサで白基準板を読み取ったときのＡＤコンバータでデジタル変換した画信号のピーク値Ｖplと前記リファレンス電圧Ｖtgに対してあらかじめ設定した一定割合の設定値との比率に基づいて
　
２　刊行物
（１）これに対して、原審拒絶理由で引用された、本願の出願日前である昭和６４年１月２０日に頒布された「実願昭６２−１０４８７１号（実開昭６４−１１０５９号）のマイクロフィルム」（以下、「刊行物１」という）は、「画信号読取補正装置」に関するものであって、次の事項が記載されている（原文中、○中に数字のある記号は、()中に数字を付して代替する）。
ア　「第１図は、本考案に係る画信号読取補正装置の第１実施例の構成を示すブロック図である。同図において１はＬＥＤアレイ光源であり、このＬＥＤアレイ光源１によって照射された原稿の画情報は、密着型イメージセンサ２によって読み取られる。（中略）
　まず、画信号読取に先立って、イメージセンサ２により白基準を読み取らせ、イメージセンサ２の出力のピークレベルをピーク検出回路４で検出する。基準電圧発生回路５は、基準となるセンサ出力のピークレベルに相当する基準電圧を発生するものであり、この基準電圧発生回路５で発生された基準電圧と、前記ピークレベルの割合とを割合算出回路６で算出する。
　ＬＥＤアレイ光源１は定電流回路１１で点灯させるが、白基準を読み取らせる初期時には、電流値設定回路９で定電流回路１１の電流値を設定する。
　前記割合算出回路６で算出された値に、前記電流値設定回路９で設定された値を乗算回路７で掛け合わせた後、この値と前記電流値設定回路９で設定された値を加算回路８で足しあわせ、これを定電流回路１１の電流の設定に用いて、ＬＥＤアレイ光源１の光量制御を行う。
　次に、第１図の実施例装置の動作について、順を追って説明する。
(1)電流値設定回路９で定電流回路１１の定電流値を設定するための信号Ｖを供給する。白基準を読み取らせる初期時には、切換回路１０は電流値設定回路９側はオン、加算回路８側はオフとする。
(2)次に、(1)で設定された信号Ｖを定電流回路１１に印加し、定電流値Ｉを発生させる。
(3)この定電流値ＩでＬＥＤアレイ光源１を点灯し、白基準を読み込ませる。そのときのセンサ出力を第２図に示す。白基準を読み取らせる初期時には、切換回路３はオンとしておく。
(4)前記の(3)の処理により得られた第２図のセンサ出力のピークレベルＶＰをピーク検出回路４で検出する。
(5)第３図に示すように、基準となるセンサ出力のピークレベル値に相当する基準電圧ＶＰ’を基準電圧発生回路５で発生させる。
(6)前記の(4)，(5)の処理で得られたピークレベルＶＰと基準電圧ＶＰ’との割合（ＶＰ’／ＶＰ）−１を割合算出回路６で算出する。
(7)前記の(1)のステップで得られた定電流値を設定する信号Ｖと、割合算出回路６で算出された割合（ＶＰ’／ＶＰ）−１とを、乗算回路７で乗算し、｛（ＶＰ’／ＶＰ）−１｝×Ｖを算出する。
(8)前記の(7)のステップで算出された値と前記信号Ｖとを加算回路８で加算し、（ＶＰ’／ＶＰ）×Ｖを算出する。
(9)切換回路１０を電流値設定回路９側はオフ、加算回路８側はオンにし、(8)で算出された定電流設定値信号（ＶＰ’／ＶＰ）×Ｖで定電流回路１１の定電流値（ＶＰ’／ＶＰ）×Ｉを設定する。
(10)(9)で設定された定電流値（ＶＰ’／ＶＰ）×ＩでＬＥＤアレイ光源１を点灯する。そのときのセンサ出力は第４図に示すようになる。
(11)切換回路３をオフにして、ピークレベル値が変動しないようにする。
　このピークレベルが常に第４図に示すＶＰ’となるように、Ａ／Ｄコンバータ１２でディジタル信号に変換し、ＲＡＭ（ランダムアクセスメモリ）１３に記憶させる（第５図（ａ）参照）。
　次に第５図（ｂ）に示すように、画信号が入った原稿を読み込んだときのセンサ出力をＡ／Ｄコンバータ１２でディジタル信号に変換し、ＲＡＭ１３内の値と演算回路１４で演算する。これにより、画信号が補正され、補正出力が得られる。このときの光量とセンサ出力電圧の関係を第６図に示す。基準電圧ＶＰ’を後段のＡ／Ｄコンバータのリファレンス電圧Ｖｒｅｆの９０〜９５％になるように設定しておけば、ダイナミックレンジが広く、高精度な補正ができる。」（６頁４行目ないし９頁１８行目、第１ないし５図）
イ　してみると刊行物１には、以下の発明（以下、「刊行物１発明」という）が記載されている。
「ＬＥＤアレイ光源１によって照射された原稿の画情報が、密着型イメージセンサ２によって読み取られ、画信号が入った原稿を読み込んだときのセンサ出力をＡ／Ｄコンバータ１２でディジタル信号に変換し、ＲＡＭ１３内の値と演算回路１４で演算し、これにより画信号が補正され、補正出力が得られるものであって、基準電圧ＶＰ’を後段のＡ／Ｄコンバータのリファレンス電圧Ｖｒｅｆの９０〜９５％になるように設定しておくものであり、画信号読取に先立って、イメージセンサ２により白基準を読み取らせ、イメージセンサ２の出力のピークレベルをピーク検出回路４で検出し、基準電圧発生回路５は、基準となるセンサ出力のピークレベルに相当する基準電圧ＶＰ’を発生するものであって、この基準電圧発生回路５で発生された基準電圧ＶＰ’と、前記ピークレベルＶＰの割合（（ＶＰ’／ＶＰ）−１）とを割合算出回路６で算出するものであり、ＬＥＤアレイ光源１は定電流回路１１で点灯させるが、白基準を読み取らせる初期時には、電流値設定回路９で定電流回路１１の電流値を設定するものであり、前記割合算出回路６で算出された値に、前記電流値設定回路９で設定された値を乗算回路７で掛け合わせた後、この値（｛（ＶＰ’／ＶＰ）−１｝×Ｖ）と前記電流値設定回路９で設定された値を加算回路８で足しあわせ（（ＶＰ’／ＶＰ）×Ｖ）、定電流設定値信号（ＶＰ’／ＶＰ）×Ｖで定電流回路１１の定電流値（ＶＰ’／ＶＰ）×Ｉを設定して、ＬＥＤアレイ光源１の光量制御を行うものであり、画信号が入った原稿を読み込んだときのセンサ出力をＡ／Ｄコンバータ１２でディジタル信号に変換し、ＲＡＭ１３内の値と演算回路１４で演算し、これにより、画信号が補正され、補正出力が得られるものであり、基準電圧ＶＰ’を後段のＡ／Ｄコンバータのリファレンス電圧Ｖｒｅｆの９０〜９５％になるように設定して、ダイナミックレンジが広く、高精度な補正ができる画信号読取装置。」
　
（２）また原審拒絶理由で引用された、本願の出願日前である平成１１年１０月８日に頒布された「特開平１１−２７５３１０号公報」（以下、「刊行物２」という）は、「画像読取装置」に関するものであって、次の事項が記載されている。
ア　「以下に、Ｒ，Ｇ，Ｂ各光源の点灯時間の設定方法を説明する。図３は、原稿台と光源（ＬＥＤ３，４，５）とイメージセンサ１４との関係を簡単に描いたものである。図３において、３１は読み取られる原稿が通過する原稿台、３２は基準白地である。
各光源の点灯時間を決定する際には、まず、基準白地３２の読み取りを行ったときのＡ／Ｄ変換器１６の出力の最大値がとって欲しい値の範囲を、あらかじめ決めておく。この範囲は、どのような原稿を読み取ったときでもＡ／Ｄ変換器１６がオーバーフローすることがなく、かつ画像の階調性を損なわないような範囲を実験等から求めておく。
次に、ＲＬＥＤ３を例にとると、原稿無しの状態で、制御部１がＳＨ信号１８を発行するタイミングでポートＰ０をハイレベルにしてＲＬＥＤ３の点灯を開始し、ＳＨ信号１８の１周期の中で適当な時間だけＲＬＥＤ３を点灯する。つまり、基準白地３２に赤色の光を当てたときのイメージセンサ１４の出力（画像信号）を得るようにする。
そして、Ａ／Ｄ変換された画像データ２０を調べ、そのデータの最大値が上記あらかじめ設定した所定の範囲を超えていたら、点灯時間を減らして再度基準白地３２の読み取りを行う。これをＡ／Ｄ変換後のデータの最大値が所定の範囲に入るまで繰り返す。反対に、Ａ／Ｄ変換後のデータの最大値が所定の範囲を下回っていた場合は、点灯時間を増やして再度基準白地３２の読み取りを行い、Ａ／Ｄ変換後のデータが所定の範囲内に入るまで繰り返す。
このような操作により、基準白地３２を読み取ったときのＡ／Ｄ変換器１６の出力の最大値が上記あらかじめ設定した所定の範囲内に入るような点灯時間を求める。」（４頁段落【００１９】ないし【００２３】、図３）
イ　「なお、上述の実施形態では、光源の点灯時間を制御することで光量の調節を行っているが、光源に流す電流値を可変とすることによって、光源の輝度そのものを調節するようにしてもよい。このように構成すると、イメージセンサ１４の１蓄積期間中に光源が常に点灯していることになるので、１読み取りラインの濃度を平均化することができる。」（８頁段落【００６０】）
ウ　してみると刊行物２には、以下の発明（以下、「刊行物２発明」という）が記載されている。
「光量の点灯時間の比率である点灯デューティにより決定するものであって、各光源の点灯時間を決定する際には、基準白地３２の読み取りを行ったときのＡ／Ｄ変換器１６の出力の最大値がとって欲しい値の範囲を、あらかじめ決めておき、基準白地に赤色の光を当てたときのイメージセンサ１４の出力（画像信号）を得るようにし、Ａ／Ｄ変換された画像データを調べ、基準白地３２を読み取ったときのＡ／Ｄ変換器の出力の最大値が上記あらかじめ設定した所定の範囲内に入るような点灯時間を求める画像読取装置」
　　
３　本願発明と刊行物１発明との対比
（１）刊行物１発明は、ＬＥＤアレイ光源１によって照射された原稿の画情報が、密着型イメージセンサ２によって読み取られ、画信号が入った原稿を読み込んだときのセンサ出力をＡ／Ｄコンバータ１２でディジタル信号に変換し、ＲＡＭ１３内の値と演算回路１４で演算し、これにより画信号が補正され、補正出力が得られるものであって、基準電圧ＶＰ’を後段のＡ／Ｄコンバータのリファレンス電圧Ｖｒｅｆの９０〜９５％になるように設定しておくものであり、光源、センサを駆動する回路を制御することはこの種装置においては自明といえるから、刊行物１発明には、本願発明でいう、「制御手段で光源駆動回路を制御して、当該光源駆動回路でイメージセンサの光源を駆動して、当該光源からの光を原稿に照射し、前記制御手段でセンサ駆動回路を制御して前記イメージセンサのセンサを駆動して、当該センサで前記原稿からの反射光を光電変換したアナログの画信号を、ＡＤコンバータで前記制御手段から入力する動作範囲を指定したリファレンス電圧と比較してデジタル変換し、デジタルの画信号を前記制御手段に出力して前記原稿の画像を読み取る画像読取装置」に相当する構成が伺われる。
　刊行物１発明は、画信号読取に先立って、イメージセンサ２により白基準を読み取らせ、イメージセンサ２の出力のピークレベルをピーク検出回路４で検出し、基準電圧発生回路５は、基準となるセンサ出力のピークレベルに相当する基準電圧ＶＰ’を発生するものであって、この基準電圧発生回路５で発生された基準電圧ＶＰ’と、前記ピークレベルＶＰの割合（（ＶＰ’／ＶＰ）−１）とを割合算出回路６で算出するものであり、ＬＥＤアレイ光源１は定電流回路１１で点灯させるが、白基準を読み取らせる初期時には、電流値設定回路９で定電流回路１１の電流値を設定するものである。そして、前記割合算出回路６で算出された値に、前記電流値設定回路９で設定された値を乗算回路７で掛け合わせた後、この値（｛（ＶＰ’／ＶＰ）−１｝×Ｖ）と前記電流値設定回路９で設定された値を加算回路８で足しあわせ（（ＶＰ’／ＶＰ）×Ｖ）、定電流設定値信号（ＶＰ’／ＶＰ）×Ｖで定電流回路１１の定電流値（ＶＰ’／ＶＰ）×Ｉを設定して、ＬＥＤアレイ光源１の光量制御を行うものである。そして、画信号が入った原稿を読み込んだときのセンサ出力をＡ／Ｄコンバータ１２でディジタル信号に変換し、ＲＡＭ１３内の値と演算回路１４で演算し、これにより、画信号が補正され、補正出力が得られるところ、基準電圧ＶＰ’を後段のＡ／Ｄコンバータのリファレンス電圧Ｖｒｅｆの９０〜９５％になるように設定しておけば、ダイナミックレンジが広く、高精度な補正ができるものである。
　してみると、上記基準電圧ＶＰ’は、リファレンス電圧に対してあらかじめ設定した一定割合の設定値であるから、本願発明における「リファレンス電圧に対してあらかじめ設定した一定割合の設定値」に相当し、イメージセンサ２により白基準を読み取らせ、イメージセンサ２の出力のピークレベルＶＰは、本願発明における「イメージセンサで白基準板を読み取ったときのＡＤコンバータでデジタル変換した画信号のピーク値」に相当するといえ、この割合（ＶＰ’／ＶＰ）（本願発明の「比率」に相当）により定電流回路１１の定電流値（ＶＰ’／ＶＰ）×Ｉが設定され、ＬＥＤアレイ光源１の光量制御すなわち光量の決定がなされているところ、本願発明の「点灯時間の比率である点灯デューティ」を決定することも光量を決定することといえるから、刊行物１発明と本願発明とは、「制御手段は、イメージセンサで白基準板を読み取ったときのＡＤコンバータでデジタル変換した画信号のピーク値が、前記イメージセンサで白基準板を読み取ったときのＡＤコンバータでデジタル変換した画信号のピーク値と前記リファレンス電圧に対してあらかじめ設定した一定割合の設定値との比率に基づいて１ラインの読取時間に対する前記光源の光量を決定する」点で一致している。
（２）したがって、両者は
「制御手段で光源駆動回路を制御して、当該光源駆動回路でイメージセンサの光源を駆動して、当該光源からの光を原稿に照射し、前記制御手段でセンサ駆動回路を制御して前記イメージセンサのセンサを駆動して、当該センサで前記原稿からの反射光を光電変換したアナログの画信号を、ＡＤコンバータで前記制御手段から入力する動作範囲を指定したリファレンス電圧と比較してデジタル変換し、デジタルの画信号を前記制御手段に出力して前記原稿の画像を読み取る画像読取装置において、
　前記制御手段は、前記イメージセンサで白基準板を読み取ったときの前記ＡＤコンバータでデジタル変換した画信号のピーク値が、前記イメージセンサで白基準板を読み取ったときのＡＤコンバータでデジタル変換した画信号のピーク値と前記リファレンス電圧に対してあらかじめ設定した一定割合の設定値との比率に基づいて１ラインの読取時間に対する前記光源の光量を決定することを特徴とする画像読取装置。」である点で一致し、次の点で相違しているものと認められる。
ア　本願発明は、決定するのが、イメージセンサで白基準板を読み取ったときの前記ＡＤコンバータでデジタル変換した画信号のピーク値が、「前記ＡＤコンバータが動作可能なリファレンス電圧の最大値に対してあらかじめ定めた一定割合の上限値と前記センサの出力のピーク値の狙い値があらかじめ定めた上限値となるリファレンス電圧との間にあるとき」であり、光量の制御について、「点灯時間の比率である点灯デューティ」によるものであるのに対し、刊行物１発明は、決定する点については明確でなく、光量の制御については光源の定電流回路の定電流値によるものである点
　　
４　相違点アについての検討
　刊行物２発明は、光量を点灯時間の比率である点灯デューティにより決定するものであり、この点は周知ともいえ適宜採用できる程度のことといえるとともに、各光源の点灯時間を決定する際には、基準白地３２の読み取りを行ったときのＡ／Ｄ変換器１６の出力の最大値がとって欲しい値（本願発明の「ピーク値の狙い値」に対応）の範囲を、あらかじめ決めておき、基準白地に赤色の光を当てたときのイメージセンサ１４の出力（画像信号）を得るようにし、Ａ／Ｄ変換された画像データを調べ、基準白地３２を読み取ったときのＡ／Ｄ変換器の出力の最大値が上記あらかじめ設定した所定の範囲内に入るような点灯時間を求めるものであり、上記最大値がとって欲しい値（以下、「値Ａ」という）が、Ａ／Ｄ変換器が動作可能なリファレンス値（以下、「値Ｂ」という）よりも低く、値Ａのあたりにピーク値が来るように点灯制御することは、普通に考慮する程度のことといえ、してみれば、上記値Ａと値Ｂ間においても、当然値Ａのあたりにピーク値がなるように点灯制御されることとなる。
　してみれば、イメージセンサで白基準板を読み取ったときの前記ＡＤコンバータでデジタル変換した画信号のピーク値が、「前記ＡＤコンバータが動作可能なリファレンス電圧の最大値に対してあらかじめ定めた一定割合の上限値と前記センサの出力のピーク値の狙い値があらかじめ定めた上限値となるリファレンス電圧との間にあるとき」、「点灯時間の比率である点灯デューティ」により光量を決定するようにすることは、当業者にとって容易に推考できたものであり、また、上記相違点に基づく本願発明の効果に格別顕著なものがあるともいえない。
　
５　むすび
　したがって、本願発明は、刊行物１発明及び刊行物２発明に基いて当業者が容易に発明をすることができたものであるので、他の請求項に係る発明について検討するまでもなく、本願は、特許法第２９条第２項の規定により特許を受けることができない。
　よって、結論のとおり審決する。